(57)【要約】【課題】釜飯用の陶器製容器をこれまでよりも多くの人に再利用してもらうことが可能となる球根花卉類の水栽培に使用する鉢を提供する。【解決手段】陶器製の釜飯容器１と、該釜飯容器１内の上部中段に固定される球根載置台３とから成る水栽培用鉢であって、前記球根載置台３は、板面３ａ内に球根Ｐの径より小幅な球根載置孔４を一個又は複数個有し、且つ板面３ａが前記釜飯容器１内の上部中段に係止可能とする複数のフック５、５、５を備える。そして、前記球根載置台３の球根載置孔４に球根Ｐを載せ、釜飯容器１内に水Ｗを入れれば水栽培が可能となる。【選択図】図１
0003150274.tif 000002
【実用新案登録請求の範囲】
【請求項１】
陶器製の釜飯容器と、該釜飯容器内の上部中段に固定される球根載置台とから成る水栽培用鉢であって、
前記球根載置台は、板面内に球根の径より小幅な球根載置孔を一個又は複数個有し、且つ板面が前記釜飯容器内の上部中段に係止可能とする複数のフックを備え、
前記球根載置台の球根載置孔に載せた球根の位置まで水を入れて水栽培可能としたことを特徴とする陶器製釜飯容器を利用した水栽培用鉢。
【請求項２】
球根載置孔を、球根の径より小幅な不規則な孔としたことを特徴とする請求項１に記載の陶器製釜飯容器を利用した水栽培用鉢。
【請求項３】
球根載置孔の周囲を、その上に載置する球根下部の球形状に沿った形状の凹部を形成したことを特徴とする請求項１又は２に記載の陶器製釜飯容器を利用した水栽培用鉢。
【請求項４】
フックの高さ方向の途中に釜飯容器の開口縁に掛かる突起部を設け、球根載置台の高さ位置を調節可能としたことを特徴とする請求項１〜３うちいずれか一つに記載の陶器製釜飯容器を利用した水栽培用鉢。
【考案の詳細な説明】
【技術分野】
【０００１】
本考案は、駅弁等で販売された釜飯弁当の陶器製容器を再利用した水栽培用の鉢に関するものである。
【背景技術】
【０００２】
駅弁等で販売される釜飯弁当の容器は、容器本体の周囲にフランジを設けるとともに蓋には二本の掴み手を付けて炊釜の形状に似せて多くが陶器で製造され、釜飯弁当が食された後、容器は燃えないため不燃ゴミや埋め立てゴミとして廃棄されている。しかし上記陶器製の釜飯容器は蓋付きの容器としてそれ自体完成された容器であり、これを廃棄してしまうのにはもったいないと多くの人が思っている。
そこで下記特許文献１の如く容器の底に孔を開けて植木鉢として再利用することが提案されている。しかし、加工業者にとって釜飯容器の底に綺麗に孔を開けることは簡単ではあるが、コストアップとなってしまい採算が合わないので孔開き商品とし販売するのは困難であった。また、従来の陶器製釜飯容器の材質は硬くて脆く、釜飯弁当を食した一般消費者にとっては容器の底に綺麗な孔を開けるのは難しく、このため実際には植木鉢として再利用されることは殆どなかった。
【先行技術文献】
【特許文献】
【０００３】
【特許文献１】登録実用新案第３０６６３９０号公報
【考案の概要】
【考案が解決しようとする課題】
【０００４】
上記の如く釜飯容器を弁当以外にも使用可能となるような方策が種々模索されているが、実効性の得られる方策が見出されていないのが実情である。
そこで、本考案は釜飯用の陶器製容器を多くの人に実際に利用してもらうことが可能となる球根花卉類の水栽培用の鉢を提供することを目的とする。
【課題を解決するための手段】
【０００５】
本考案は上記実情に鑑みてなされたものであり、本考案の陶器製釜飯容器を利用した水栽培用鉢における請求項１の考案にあっては、陶器製の釜飯容器と、該釜飯容器内の上部中段に固定される球根載置台とから成る水栽培用鉢であって、前記球根載置台は、板面内に球根の径より小幅な球根載置孔を一個又は複数個有し、且つ板面が前記釜飯容器内の上部中段に係止可能とする複数のフックを備え、前記球根載置台の球根載置孔に載せた球根の位置まで水を入れて水栽培可能としたことを特徴とする。
【０００６】
請求項２に記載の考案は、上記考案において、前記球根載置孔を、球根の径より小幅な不規則な孔としたことを特徴とする。
【０００７】
請求項３に記載の考案は、上記各考案において、前記球根載置孔の周囲を、その上に載置する球根下部の球形状に沿った形状の凹部を形成したことを特徴とする。
【０００８】
請求項４に記載の考案は、上記各考案において、前記フックの高さ方向の途中に釜飯容器の開口縁に掛かる突起部を設け、球根載置台の高さ位置を調節可能としたことを特徴とする。
【考案の効果】
【０００９】
本考案は上記構成であり、釜飯弁当を食した後に空となった陶器製釜飯容器の中に球根載置孔を備えた球根載置台がフックを掛けることで陶器製釜飯容器内の上部中段位置に固定でき、水栽培用鉢を極めて容易に組み立てることが可能となる。
即ち、釜飯容器本体には孔明けなどの加工を施すことは全く不要となり、誰でも簡単に前記球根載置台を置くだけで組み立てが完成し、用意した球根を球根載置孔の上に置いて水を入れれば水栽培が可能となる。
釜飯弁当に販売時に前記球根載置台をセット販売すれば、陶器製釜飯容器を捨てずに自宅などに持ち帰れば、簡単に釜飯容器が新たに水栽培用の鉢として甦りって有効に再利用することが可能となる。その際に蓋部分も捨てずに鉢台として無駄なく使用することできる。
そして、水栽培では球根載置台の下には大きな空間が形成されるので、たっぷりと水を入れてアマリリスなどの大きな球根の花卉類でも栽培可能となる。
また、発生した根は球根載置孔から底に伸びていく際、容器が陶器製で不透明なので直射日光が遮られ、光を嫌う根が積極的に成長を促がされる結果より良好な生育を可能となる。
さらに前記球根載置台に複数の球根載置孔を設ければ、１つの鉢で、それらの孔に複数の球根を乗せることが可能となり、多種類の品種の球根を栽培して色とりどりの花を咲かせて華やかに飾ることが可能となる。
【００１０】
また、請求項２に記載の考案では、不規則な孔を球根の径より小幅としたので、孔を潜って脱落させることなく、平面的に自由に球根を配置して、使用する人の美的感覚で大小複数の球根を自由に乗せて多種の花を楽しむことが可能となる。
さらに、請求項３に記載の考案では、一個の小さい孔であっても、大小各種の大きさの球根にも球根下部を凹部で支えて安定した状態で載置させ栽培することが可能となる。
また、請求項４に記載の考案では、フックの高さ途中に設けた突起部が開口縁に掛かって前記球根載置台の高さ位置が調節可能となるため、球根の種類や大きさに適合した高さ位置に調節して栽培することが可能となる。
【図面の簡単な説明】
【００１１】
【図１】本考案の陶器製釜飯容器を利用した水栽培用鉢の断面側面図である。
【図２】別の形態の断面側面図である。
【図３】球根載置孔が（イ）が一個の場合、（ロ）が複数とした場合、（ハ）が不規則な孔に形成した場合を示す球根載置台の各斜視図である。
【図４】球根載置台を高さ調節可能とした形態の（イ）が球根載置台を高く調節した状態、（ロ）が球根載置台を低く調節した状態を示す各断面側面図である。
【図５】従来の空の陶器製釜飯容器の縦断側面図である。
【考案を実施するための形態】
【００１２】
以下、本考案の陶器製釜飯容器を利用した水栽培用鉢の実施の形態を説明する。
本考案は駅弁などで販売された釜飯弁当を食した後、残った空の陶器製の釜飯容器１（図４に示す）を使用した水栽培用鉢である。
該水栽培用鉢は、図１に示すように、前記陶器製の釜飯容器１と、該釜飯容器１内の上部中段に固定される合成樹脂製の球根載置台３とにより構成される。
【００１３】
前記球根載置台３は、板面３ａ内に球根Ｐの径より小幅な球根載置孔４を一個（図３の（イ）に示す）又は複数個（図３の（ロ）に示す）有し、且つ板面３ａが前記釜飯容器１内の上部中段に係止可能となるように、板面３ａの周囲に複数のフック５、５を備える。
球根載置台３の素材を、合成樹脂製としたのは水に接しても腐食しない素材であるためである。
なお、図１は中央に球根載置孔４を１個備えた形態を示す。
【００１４】
この水栽培用鉢を使用するときには、前記球根載置台３の球根載置孔４に載せた球根Ｐの根Ｎ元の位置まで水Ｗを入れて水栽培を行う。
【００１５】
前記フック５は、下部が球根載置台３の周囲に複数が等分度の間隔で一体的に形成され、上部を外側に突出させて、この突出部分が前記釜飯容器１の口縁１ｂに載る。またその突出部分の先端には前記釜飯容器の口縁１ｂを掴むように下向きに屈曲させた把持部９を設ける。
また前記フック５の数は３〜４個とすれば、前記釜飯容器１の口縁１ｂに球根載置台３を安定して載せられるので好ましい。
【００１６】
図３の（イ）、（ロ）及び（ハ）は、前記球根載置台３の周囲の形状は釜飯容器１の開口縁１ｂの内径よりも僅か小さい径の円板状としたことが示されているが、前記フック５、５が前記釜飯容器１内側の口縁１ａに係止できれば良いので、球根載置台３の周囲の形状については特に限定するものではなく、たとえば、図３の（イ）における前記フック５、５、５間の板面３ａ周辺部分の一部を、図３の（二）に示すように、直線で切り落とした形状など各種の形状とすることが可能である。
【００１７】
前記球根載置孔４は、前記球根載置台３の板面３ａ内のどこに設けるかは自由であるが、一個設ける場合には中央に設けると、植えた植物が背が高く育ったときの安定性が得られるために好ましい。
また、前記球根載置孔４の幅は、孔が球根Ｐの径より大きいと、球根Ｐが落下してしまうので、孔は球根Ｐの径より小さい幅とし、且つ前記球根載置孔４は、球根Ｐから発生した根Ｎを底１ｃに導くための孔であるので、少なくとも球根Ｐから発生した根Ｎが通過できる大きさの孔径とする。
【００１８】
さらに、前記球根載置孔４の輪郭の形状は、球根Ｐの径より小さい幅であれば円形以外にも長孔や不規則な孔とするなど各種形状に形成することも可能である。図３の（ロ）に示すように、クロスした長い孔がであっても良い。
また、図３の（ハ）に示すように、前記球根載置孔４は前記球根載置台３の板面３ａが広いので複数個設けることも可能である。
【００１９】
球根の大きさは、植物の種類によって大小さまざまに異なっており、前記球根載置孔４が一個の場合であっても、球根Ｐから発生する根Ｎは狭い孔でも通過できるので、図２に示すように、前記球根載置孔４の周囲を凹ませることで、小さい球根Ｐ１はもとより大きい球根Ｐ２を安定させて載せて置くことが可能となる。
その凹みの大きさは、その上に載置する球根Ｐ下部の根Ｎ周囲の球形状に沿った形状とするとより安定性が得られる。
【００２０】
また、前記球根載置台３の周囲のフック５、５、５は若干の可撓性を持たせるため、前記球根載置台３をやや軟らかい合成樹脂で形成し、釜飯容器１の開口縁１ｂの径よりも僅か小さい径とし、前記フック５を外側に開いた状態に形成すれば、フック４が前記釜飯容器１の開口部近くの内側面１ａを押圧状態に嵌め込まれりので安定性が増大させることができる。
【００２１】
また、前記球根載置台３の周囲のフック７、７を、図４に示すように、フック７の高さ方向の途中に釜飯容器１の開口縁１ｂに掛かる突起部８を外向きに突設した形態も可能である。
この形態では、釜飯容器１内の上部中段において、前記球根載置台３は、一段目では前記フック７の突起部８が、前記釜飯容器１の開口縁１ｂに掛かって、図４の（イ）に示すように、高い（浅い）球根載置台の高さ位置（球根載置台の吊り深さ位置）が決まる。
次に前記球根載置台３のフック７の突起部８を押し込めるように外して、釜飯容器１内に下降させ、その上部の把持部９を前記釜飯容器１の開口縁１ｂに掛けると、突起部８が僅かに屈曲して球根載置台３が前記釜飯容器１に固定され、このように前記球根載置台の高さ位置の調節が可能となる。
【００２２】
なお、釜蓋４は、図２に示すように、容器本体１の下に敷台として使用することができる、蓋を含めた容器全体を無駄なく再利用することが可能となる。
【産業上の利用可能性】
【００２３】
本考案の陶器製釜飯容器を利用した水栽培用鉢は、水を抜いて乾燥した籾殻などを入れてその中に球根を入れて釜蓋をすれば容器中が暗室となり、球根越冬用の容器としても再利用でき、翌年に再度その越冬させた球根を育てることが可能となる。
【符号の説明】
【００２４】
１    釜飯容器
１ａ  釜飯容器の開口部近くの内側面
１ｂ  釜飯容器の開口縁
１ｃ  釜飯容器の内側面
１ｄ  釜飯容器のフランジ
１ｅ  釜飯容器の底部
２    釜蓋
３    球根載置台
３ａ  球根載置台の板面
４    球根載置孔
４ａ  円形の球根載置孔
４ｂ  複数の球根載置孔
４ｃ  不規則形状の球根載置孔
５    フック
６    凹部
７    フック
８    突起  
９    把持部
Ｐ    球根
Ｐ1  小球根
Ｐ2  大球根
Ｎ    根
Ｗ    水
【図１】
0003150274.tif 000003
【図２】
0003150274.tif 000004
【図３】
0003150274.tif 000005
【図４】
0003150274.tif 000006
【図５】
0003150274.tif 000007